(57)【要約】  処理ユニットは、−ガス循環管（９）および循環管（９）の蒸発セクション（１３）をふさぐ大きい比表面を有する物質（１１）を備える蒸発装置（７）と、−循環管（９）を通じてガスを循環させる装置（１５）と、−大きい比表面を有する物質（１１）に含浸させる液体であって、液体は、揮発性殺生物剤および／または植物防疫製品のうちの少なくとも１つの製品または混合物を含有し、沸点温度は１３０℃から２８０℃の間であり、大きい比表面を有する物質は２０℃で大きい比表面を有する物質の５０Ｌ／ｍ３よりも大きい液体保持能力を有する、液体と、−大きい比表面を有する物質（１１）に液体を再含浸させるように、または使用された大きい比表面を有する物質（１１）を、液体を含浸された新しい大きい比表面を有する物質（１１）で置き換えるように構成された再供給装置（１７）と、を備える。
2020525029.tif 000002
【特許請求の範囲】
【請求項１】
−  ガス循環管（９）および前記ガス循環管（９）の蒸発セクション（１３）をふさぐ大きい比表面を有する物質（１１）を備える蒸発装置（７）と、
−  前記ガス循環管（９）を通じてガスを循環させる装置（１５）と、
−  前記大きい比表面を有する物質（１１）に含浸させる液体であって、前記液体は、揮発性殺生物剤および／または植物防疫製品のうちの少なくとも１つの製品または混合物を含有し、沸点温度は大気圧で１３０℃から２８０℃の間であり、前記大きい比表面を有する物質は２０℃で大きい比表面を有する物質の５０Ｌ／ｍ３よりも大きい液体保持能力を有する、液体と、
−  前記大きい比表面を有する物質（１１）に液体を再含浸させるように、または使用された前記大きい比表面を有する物質（１１）を、液体を含浸された新しい大きい比表面を有する物質（１１）で置き換えるように構成された再供給装置（１７）と、
を備える処理ユニット（５）。
【請求項２】
前記製品のうちの少なくとも１つは、エッセンシャルオイル；テルペン；飽和または不飽和Ｃ６乃至Ｃ１０短鎖アルコール、例えば、オクタノール、２−エチルヘキサノール；揮発性合成生成物、例えば、ヘキサナール、１，４−ジメチルナフタレン、および３−デセン−２−オン；高沸点を有する液体有機酸、例えば、ペラルゴン酸、およびパラバン酸；殺生物剤活性を有するエステル、例えば、イソ吉草酸イソアミルの植物防疫または殺生物剤製品のリストから選ばれる、請求項１に記載のユニット。
【請求項３】
前記蒸発装置（７）は、垂直軸塔であり、前記蒸発セクション（１３）は、垂直軸を有するとともに、好ましくは、前記垂直軸塔の水平セクションの７５％よりも小さい前記水平セクションを有する、請求項１または２に記載のユニット。
【請求項４】
前記蒸発装置（７）は、前記ガス循環管（９）を定めるホースである、請求項１または２に記載のユニット。
【請求項５】
前記大きい比表面を有する物質（１１）は、連続気泡発泡体である、あるいはバーミキュライトまたはパーライトなどの分割された無機物質である、請求項１から４のいずれか一項に記載のユニット。
【請求項６】
前記大きい比表面を有する物質（１１）は、上下に配置されるとともに空間（９１）によって互いから隔てられた少なくとも２つの層（８９）に配置され、各層（８９）は、所定の限界、例えば１００ｍｍよりも小さい厚さを有する、請求項１から５のいずれか一項に記載のユニット。
【請求項７】
前記再供給装置（１７）は、液体で満たされた槽（２９）と、前記ガス循環管（９）の前記蒸発セクション（１３）から前記大きい比表面を有する物質（１１）を除去し、前記大きい比表面を有する物質（１１）を前記槽（２９）に沈め、前記大きい比表面を有する物質（１１）を前記ガス循環管（９）の前記蒸発セクション（１３）内のその場所へ戻すように構成された機構（３１）と、を備える、請求項１から６のいずれか一項に記載のユニット。
【請求項８】
前記槽（２９）は、前記垂直軸塔内に配置され、前記蒸発セクション（１３）は、前記槽（２９）と前記垂直軸塔の壁との間で区切られている、請求項３と組み合わされた請求項７に記載のユニット。
【請求項９】
前記再供給装置（１７）は、好ましくは５０℃未満の温度で、前記液体を小滴の形態で前記大きい比表面を有する物質（１１）から上流の前記ガスに注入する噴霧装置（６３）を備える、請求項１から８のいずれか一項に記載のユニット。
【請求項１０】
前記再供給装置（１７）は、液体を収容する貯蔵部（８３）と、液体分配器（８５）と、前記貯蔵部（８３）内の前記液体を吸引するとともに前記液体を前記液体分配器（８５）の中に排出する液体循環部材（８７）と、を備え、前記液体分配器（８５）は、前記液体を前記大きい比表面を有する物質（１１）上または中にスプレーするように構成される、請求項１から６のいずれか一項に記載のユニット。
【請求項１１】
前記再供給装置（１７）は、前記蒸発セクション（１３）を前記ガス循環管（９）内で可逆的に取り付けるように構成された部材（６９）を備える、請求項１から６のいずれか一項に記載のユニット。
【請求項１２】
−  循環管（９）を通じてガスを循環させるステップであって、大きい比表面を有する物質（１１）は前記循環管（９）の蒸発セクション（１３）をふさぎ、液体は前記大きい比表面を有する物質（１１）に含浸させ、前記液体は、揮発性殺生物剤および／または植物防疫製品のうちの少なくとも１つの製品または混合物を含有し、沸点温度は大気圧で１３０℃から２８０℃の間であり、前記大きい比表面を有する物質は２０℃で大きい比表面を有する物質の５０Ｌ／ｍ３よりも大きい液体保持能力を有する、ガスを循環させるステップと、
−  前記大きい比表面を有する物質（１１）が液体中で使用されるとき、前記大きい比表面を有する物質（１１）に液体を再含浸させる、または使用された前記大きい比表面を有する物質（１１）を、液体を含浸された新しい大きい比表面を有する物質（１１）と置き換えることによって再供給するステップと、
を含む処理方法。
【請求項１３】
前記大きい比表面を有する物質（１１）は、連続気泡発泡体である、あるいはバーミキュライトまたはパーライトなどの分割された無機物質である、請求項１２に記載の方法。
【請求項１４】
前記大きい比表面を有する物質（１１）の前記再含浸は、前記大きい比表面を有する物質（１１）を、液体を収容する槽（２９）の中に沈めることによって行われる、請求項１２または１３に記載の方法。
【請求項１５】
前記通路管（９）は、垂直軸を有する塔内に配置され、前記槽（２９）は、前記塔内に配置され、前記通路管（９）の前記蒸発セクションは、前記槽（２９）と前記塔の壁との間で区切られている、請求項１４に記載の方法。
【請求項１６】
前記大きい比表面を有する物質（１１）の前記再含浸は、好ましくは５０℃未満の温度で、前記液体を小滴の形態で前記大きい比表面を有する物質（１１）から上流の前記ガスに注入することによって行われる、請求項１２から１５のいずれか一項に記載の方法。
【請求項１７】
前記大きい比表面を有する物質（１１）の前記再含浸は、液体を液体貯蔵部（８３）から前記大きい比表面を有する物質（１１）の上または中にスプレーすることによって行われる、請求項１２または１３に記載の方法。
【請求項１８】
前記再供給するステップは、使用された大きい比表面を有する前記物質（１１）を収容する前記蒸発セクション（１３）を分解し、使用された大きい比表面を有する前記物質（１１）を、液体を含浸された新しい大きい比表面を有する物質（１１）と置き換え、液体を含浸された新しい大きい比表面を有する物質（１１）を収容する前記蒸発セクション（１３）を再び取り付けることによって行われる、請求項１２または１３に記載の方法。
【請求項１９】
前記再供給するステップは、使用された大きい比表面を有する前記物質（１１）を収容する前記蒸発セクション（１３）を分解し、液体を含浸された新しい大きい比表面を有する物質（１１）を収容する新しい蒸発セクション（１３）を再び取り付けることによって行われる、請求項１２または１３に記載の方法。
【請求項２０】
前記循環管（９）を出る、蒸発した液体を供給された前記ガスは、植物生産物（１９、７７）を収容する施設（３）の中に注入される、請求項１２から１９のいずれか一項に記載の方法。
【請求項２１】
植物生産物を貯蔵または育成するユニット（１）であって、
−  植物生産物（１９、７７）を収容する施設（３）と、
−  請求項１から１１のいずれか一項に記載の処理ユニット（５）と、
を備え、前記ガス循環管（９）は、前記施設（３）の内容積に流体接続されている、ユニット（１）。
【発明の詳細な説明】
【技術分野】
【０００１】
本発明は、一般に、揮発性殺生物剤または植物防疫製品の蒸発に関する。
【背景技術】
【０００２】
ライナーを収容した蒸発塔内でそのような製品を蒸発させることが可能である。塔内では上向きの気流が作り出される。蒸発される液体がライナーの上方から注入され、重力によって下向きに流れる。この液体は、ライナーの下方、塔の最下部で集められ、再循環させられる。気流はライナー内で液体に接触した状態で循環し、この液体は蒸発させられ、気流で運ばれる。
【０００３】
そのような方法は、特許文献１として提出された出願により知られている。
【０００４】
本文献に記載された装置および方法は、液体が純粋な製品であるとき、とてもよく機能する。
【０００５】
逆に、液体が混合物でいくつかの製品を含むとき、最も揮発する製品が、好ましくは蒸発させられる。液体の組成は、時間とともに改変させられ、液体は、重い製品で濃縮され、高揮発性の製品が含まれていない。
【０００６】
したがって、エッセンシャルオイルなどの複数の製品を含む液体については、処理製品を供給された気流の組成は、時間とともに改変させられる。
【先行技術文献】
【特許文献】
【０００７】
【特許文献１】仏国特許第１，６５５，７１７号明細書
【特許文献２】仏国特許第２，７９１，９１０号明細書
【発明の概要】
【発明が解決しようとする課題】
【０００８】
これに関連して、第１の態様によれば、本発明は、上記の欠点を有しない処理ユニットを提案することを目的とする。
【課題を解決するための手段】
【０００９】
このために、本発明は、
−  ガス循環管および循環管の蒸発セクションをふさぐ大きい比表面を有する物質を備える蒸発装置と、
−  循環管を通じてガスを循環させる装置と、
−  大きい比表面を有する物質に含浸させる液体であって、液体は、揮発性殺生物剤および／または植物防疫製品のうちの少なくとも１つの製品または混合物を含有し、沸点温度は大気圧で１３０℃から２８０℃の間であり、大きい比表面を有する物質は２０℃で大きい比表面を有する物質の５０Ｌ／ｍ３よりも大きい液体保持能力を有する、液体と、
−  大きい比表面を有する物質に液体を再含浸させるように、または使用された大きい比表面を有する物質を、液体を含浸された新しい大きい比表面を有する物質で置き換えるように構成された再供給装置と、
を備える処理ユニットに関する。
【００１０】
処理ユニットは、液体が蒸発させられるために大きい保持能力を有する大きい比表面を有する物質を実装する。液体とガスとの間で得られる接触面は、極めて大きい。したがって、適度のガス流流量でかなりの量の液体を蒸発させることが可能である。
【００１１】
詳細には、液体蒸気でガス流を実質的に飽和させることが可能である。
【００１２】
大きい比表面を有する物質の保持能力により、液体を連続的に再循環させることは必要でない。大きい比表面を有する物質が部分的にまたは完全に液体内で使用されるとき、再供給装置は、新たな液体を大きい比表面を有する物質に再含浸させることが可能である。
【００１３】
したがって、特許文献１の処理ユニットで観察される高揮発性の製品内の液体が存在しない現象は、もはや生じない、または極めて限られている。大きい比表面を有する物質には、元の組成を有する新たな液体が定期的に再供給されるので、蒸発した蒸気の組成は、一定である、または狭い組成範囲において現れる。
【００１４】
ユニットは、個々に考えられるまたは任意の技術的に可能な組合せに従って、以下の特徴のうちの１つまたは複数を有することもできる。
−  製品のうちの少なくとも１つは、エッセンシャルオイル；テルペン；飽和または不飽和Ｃ６乃至Ｃ１０短鎖アルコール、例えば、オクタノール、２−エチルヘキサノール；揮発性合成生成物、例えば、ヘキサナール、１，４−ジメチルナフタレン、および３−デセン−２−オン；高沸点を有する液体有機酸、例えば、ペラルゴン酸、およびパラバン酸；殺生物剤活性を有するエステル、例えば、イソ吉草酸イソアミルの植物防疫または殺生物剤製品のリストから選ばれる。
−  蒸発装置は垂直軸塔であり、蒸発セクションは、垂直軸を有するとともに、好ましくは、塔の水平セクションの７５％よりも小さい水平セクションを有する。
−  蒸発装置は、ガス循環管を定めるホースである。
−  大きい比表面を有する物質は、連続気泡発泡体である、あるいはバーミキュライトまたはパーライトなどの分割された無機物質である。
−  大きい比表面を有する物質は、上下に配置されるとともに空間によって互いから隔てられた少なくとも２つの層に配置され、各層は、所定の限界、例えば１００ｍｍよりも小さい厚さを有する。
−  再供給装置は、液体で満たされた槽と、循環管の蒸発セクションから大きい比表面を有する物質を除去し、大きい比表面を有する物質を槽に沈め、大きい比表面を有する物質を循環管の蒸発セクション内のその場所へ戻すように構成された機構と、を備える。
−  槽は、塔内に配置され、蒸発セクションは、槽と塔の壁との間で区切られている。
−  再供給装置は、好ましくは５０℃未満の温度で、液体を小滴の形態で大きい比表面を有する物質から上流のガスに注入する噴霧装置を備える。
−  再供給装置は、液体を収容する貯蔵部と、液体分配器と、貯蔵部内の液体を吸引するとともに液体を液体分配器の中に排出する液体循環部材と、を備え、液体分配器は、液体を大きい比表面を有する物質上または中にスプレーするように構成される。
−  再供給装置は、蒸発セクションを循環管内で可逆的に取り付けるように構成された部材を備える。
【００１５】
第２の態様によれば、本発明は、
−  循環管を通じてガスを循環させるステップであって、大きい比表面を有する物質は循環管の蒸発セクションをふさぎ、液体は大きい比表面を有する物質に含浸させ、液体は、揮発性殺生物剤および／または植物防疫製品のうちの少なくとも１つの製品または混合物を含有し、沸点温度は大気圧で１３０℃から２８０℃の間であり、大きい比表面を有する物質は２０℃で大きい比表面を有する物質の５０Ｌ／ｍ３よりも大きい液体保持能力を有する、ガスを循環させるステップと、
−  大きい比表面を有する物質が液体中で使用されるとき、大きい比表面を有する物質に液体を再含浸させる、または消費された大きい比表面を有する物質を、液体を含浸された新しい大きい比表面を有する物質と置き換えることによって再供給するステップと、
を含む処理方法に関する。
【００１６】
方法は、個々に考えられるまたは任意の技術的に可能な組合せに従って、以下の特徴のうちの１つまたは複数をさらに有することもできる。
−  大きい比表面を有する物質は、連続気泡発泡体である、あるいはバーミキュライトまたはパーライトなどの分割された無機物質である。
−  大きい比表面を有する物質の再含浸は、大きい比表面を有する物質を、液体を収容する槽の中に沈めることによって行われる。
−  通路管は、垂直軸を有する塔内に配置され、槽は、塔内に配置され、通路管の蒸発セクションは、槽と塔の壁との間で区切られている。
−  大きい比表面を有する物質の再含浸は、好ましくは５０℃未満の温度で、液体を小滴の形態で大きい比表面を有する物質から上流のガスに注入することによって行われる。
−  大きい比表面を有する物質の再含浸は、液体を液体貯蔵部から大きい比表面を有する物質の上または中にスプレーすることによって行われる。
−  再供給するステップは、使用された大きい比表面を有する物質を収容する蒸発セクションを分解し、使用された大きい比表面を有する物質を、液体を含浸された新しい大きい比表面を有する物質と置き換え、液体を含浸された新しい大きい比表面を有する物質を収容する蒸発セクションを再び取り付けることによって行われる。
−  再供給するステップは、使用された大きい比表面を有する物質を収容する蒸発セクションを分解し、液体を含浸された新しい大きい比表面を有する物質を収容する新しい蒸発セクションを再び取り付けることによって行われる。
−  循環管を出る、蒸発した液体を供給されたガスは、植物生産物を収容する施設の中に注入される。
【００１７】
第３の態様によれば、本発明は、植物生産物を貯蔵または育成するユニットであって、
−  植物生産物を収容する施設と、
−  上記の特徴を有する処理ユニットと、
を備え、ガス循環管は、施設の内容積に流体接続されている、ユニットに関する。
【００１８】
本発明の他の特徴および利点は、下記添付図面を参照して、以下、情報について非限定で与えられる本発明の詳細な説明から明らかになる。
【図面の簡単な説明】
【００１９】
【図１】本発明の第１の実施形態による処理ユニットを備えた、植物生産物を貯蔵するユニットの簡略概略図である。
【図２】本発明の第１の実施形態について、大きい比表面を有する物質の再含浸によって液体を再供給するステップを示す図１と同様の図である。
【図３】本発明の第１の実施形態について、大きい比表面を有する物質の再含浸によって液体を再供給するステップを示す図１と同様の図である。
【図４】大きい比表面を有する物質を通過する前に処理ユニットがガスを洗浄することを含む本発明の第１の実施形態に係る代替例を示す図である。
【図５】本発明の第２の実施形態を示す図１と同様の図である。
【図６】植物生産物を収容する施設がサイロである、本発明の第３の実施形態を示す図である。
【図７】本発明の第４の実施形態を示す図６と同様の図である。
【図８】本発明の第１の実施形態の代替例を示す図１と同様の図である。
【図９】本発明の第１の実施形態のさらに別の代替例を示す図１と同様の図である。
【発明を実施するための形態】
【００２０】
図１に示された植物生産物を貯蔵または育成するユニット１は、施設３と処理ユニット５とを備える。処理ユニット５は、少なくとも１つの揮発性殺生物剤および／または植物防疫製品を含有する液体を蒸発させ、この蒸発した液体を施設３内部の雰囲気に注入するように構成されている。
【００２１】
この処理は、殺菌処理および／または植物防疫処理である。
【００２２】
例えば、施設は、実質的に気密である。この施設は、施設の雰囲気と外側の大気との間で交換を行う意味において密閉エンクロージャであり、詳細には、ガス交換が、例えば、内部に貯蔵される植物生産物の保存を危うくしないように減少させられている。
【００２３】
代替として、施設は、一定の換気をもたせている。
【００２４】
殺菌処理の場合には、施設は、例えば、植物生産物向きの保管庫であるが、処理時には植物生産物を収容しない。代替として、施設は、病院、学校、工業設備、または任意の他のタイプの施設の一部である。この施設は、殺菌される容器、保管庫または輸送タンク、あるいは任意の他のタイプのエンクロージャとすることもできる。
【００２５】
植物防疫処理の場合には、施設は、例えば、穀類、果物、または野菜などの植物生産物を貯蔵するための部屋、温室、または任意の他の施設である。植物生産物が施設に貯蔵されている間に、処理が適用される。代替として、施設３が空の間に、処理が適用される。
【００２６】
製品が殺生物剤製品であるとき、処理は、施設３を衛生的にすることを目標とする。
【００２７】
製品が植物衛生製品とも呼ばれ得る植物防疫製品であるとき、処理は、病気および／または損傷の進展を防ぎ、昆虫、菌類、および寄生虫を排除することによって、植物生産物１９（図１参照）を保護しようとする。
【００２８】
処理ユニット５は、ガス循環管９を備える蒸発装置７と、循環管９の蒸発セクション１３をふさぐ大きい比表面を有する物質１１と、を備える。ユニット５は、循環管９を通じてガスを循環させる装置１５も備える。上述したように、処理ユニット５は、大きい比表面を有する物質を含浸させる液体をさらに含み、この液体は、揮発性殺生物剤および／または植物防疫製品の少なくとも１つの製品または混合物を含有する。
【００２９】
ユニット５は、大きい比表面を有する物質１１に液体を再含浸させるように、または使用された大きい比表面を有する物質１１を、液体を含浸された新しい大きい比表面を有する物質１１で置き換えるように構成された再供給装置１７をさらに備える。
【００３０】
処理ユニット５は、施設３の外側またはその内側に置かれる。典型的には、ガスは、施設３の外側から吸引された大気である。代替として、ガスは、施設３の内側の雰囲気である。
【００３１】
液体は、殺生物剤製品だけまたは植物防疫製品だけを含む、あるいは１つまたはいくつかの植物防疫製品と混合された１つまたはいくつかの殺生物剤製品を含有する。
【００３２】
製品の少なくとも１つは、エッセンシャルオイル；テルペン；飽和または不飽和Ｃ６乃至Ｃ１０短鎖アルコール、例えば、オクタノール、２−エチルヘキサノール；揮発性合成生成物、例えば、ヘキサナール、１，４−ジメチルナフタレン、および３−デセン−２−オン；高沸点を有する液体有機酸、例えば、ペラルゴン酸、およびパラバン酸；殺生物剤活性を有するエステル、例えば、イソ吉草酸イソアミルから選ばれる。
【００３３】
エッセンシャルオイルは、例えば、ミント油、チョウジ油、ローズ油、タイム油、オレガノ油、ユーカリ油、パイン油、シナモン油で構成されている群から選ばれる。代替として、液体は、Ｌ−カルボン、オイゲノール、ゲラニオール、チオール（ｔｈｙｏｌ）、カルバクロール、ユーカリプトール、ピネン、シンナムアルデヒドで構成されている群の中から選ばれるこれらの油の成分の１つを含有する。
【００３４】
典型的には、各殺生物剤および／または植物防疫製品は、２０℃において、０．０１ｍｍＨｇから３ｍｍＨｇの間、すなわち、１．３Ｐａから４００Ｐａの間の蒸気圧を有する。
【００３５】
典型的には、液体は、溶媒または添加剤なしで、製品のみを含有する。代替として、液体は、製品および１つまたはいくつかの添加剤が溶解されている水性または有機溶媒を含む。例えば、水性溶媒は、水である。例えば、有機溶媒は、特許文献２に記載されたタイプの溶媒、またはグリコール、ジグリコール、およびその相対エステルである。例えば、添加剤は、有効成分を運ぶことができるまたは希釈効果をもたらすことができる物質である。
【００３６】
このまたはそれぞれの製品は、大気圧で１３０℃から２８０℃の間に沸点温度を有する。
【００３７】
大きい比表面を有する物質１１は、循環管９内を循環するガスが大きい比表面を有する物質１１を通過するようにさせられるように、セクション１３を完全にふさぐように構成されている。
【００３８】
大きい比表面を有する物質１１は、かなりの液体保持能力を有するように選ばれる。物質１１は、蒸発させられる液体の性質に基づいて選ばれる。
【００３９】
物質は、単位体積あたり大きい表面、すなわち大きい比表面を有し、したがって、２０℃で１０Ｌ／ｍ３よりも大きい液体保持能力を有する。好ましくは、保持能力は、５０Ｌ／ｍ３よりも大きく、さらにより好ましくは１００Ｌ／ｍ３よりも大きい。
【００４０】
有利には、大きい比表面を有する物質１１は、連続気泡発泡体である。この発泡体は、スポンジ、またはプラスチック発泡体である。例えば、大きい比表面を有する物質は、密度が１０ｋｇ／ｍ３から４０ｋｇ／ｍ３の間、さらにより好ましくは２０ｋｇ／ｍ３から３０ｋｇ／ｍ３の間、および例えば、密度が２５ｋｇ／ｍ３である連続気泡ポリウレタン発泡体である。
【００４１】
代替として、大きい比表面を有する物質１１は、分割された無機物質、例えば、バーミキュライトまたはパーライトなどの小顆粒の形態である。例えば、大きい比表面を有する物質１１は、直径が０．５ｍｍから５ｍｍの間、好ましくは０．５ｍｍから２ｍｍの間である、かつ例えば、１ｍｍに等しいバーミキュライトパールの形態であるとみなす。
【００４２】
別の態様によれば、大きい比表面を有する物質は、体積あたり極めて大きい表面をもたらす。例えば、大きい比表面を有する物質１１は、１０００ｍ２／ｍ３から１００，０００ｍ２／ｍ３の間の体積当たりの表面を有する。
【００４３】
大きい比表面を有する物質１１が連続気泡発泡体であるとき、物質１１は、５，０００ｍ２／ｍ３から６０，０００ｍ２／ｍ３の間、好ましくは１０，０００ｍ２／ｍ３から４０，０００ｍ２／ｍ３の間である、かつ例えば、３０，０００ｍ２／ｍ３に等しい体積当たりの表面を有する。
【００４４】
大きい比表面を有する物質が無機物質の小顆粒の形態を仮定するとき、典型的には、その体積あたりの表面は、１０００ｍ２／ｍ３から１０，０００ｍ２／ｍ３の間、好ましくは２０００ｍ２／ｍ３から６０００ｍ２／ｍ３の間であり、かつ例えば、３５００ｍ２／ｍ３に等しい。
【００４５】
図１の実施形態において、蒸発装置７は、垂直軸塔である。循環管９も、垂直軸を有する。循環管９は、塔の内容積に対応する。蒸発セクション１３も、垂直軸を有する。
【００４６】
循環装置１５は、塔の内部にガスの上向き循環を作り出すように構成される。
【００４７】
このために、蒸発装置５は、１つまたはいくつかの入口２１を備え、ガスが、入口２１を通って、大きい比表面を有する物質１１の下方で蒸発装置５に進入する。例えば、この入口２１は、外側大気中に出てくる。
【００４８】
蒸発装置５は、塔の上部に配置された、蒸発した液体を供給されたガスのための出口２３をさらに備える。出口２３は、大きい比表面を有する物質１１の上方に位置する。
【００４９】
蒸発装置が施設３内に配置されるとき、出口２３は、施設３の内容積内に直接出てくる（図１から図５、図８および図９参照）。
【００５０】
蒸発装置が施設３の外側に配置されるとき、出口２３は、移送管２５によって施設３の内容積に流体接続されている（図６および図７）。
【００５１】
例えば、循環装置１５は、大きい比表面を有する物質１１の上方に、典型的には塔の頂点に置かれたファンまたは送風機などの循環部材２７を備える。循環部材２７は、ライナーの上方で、蒸発した液体を供給されたガスを吸引し、ガスを出口２３にまたは出口２３の方に排出するように構成される。
【００５２】
したがって、ガス循環管９は、塔の内部で入口から出口へ延びる。
【００５３】
大きい比表面を有する物質１１が連続気泡発泡体であるとき、物質１１は、蒸発セクション１３の内側セクションにほぼ対応する形状、およびほぼ一定の厚さを有するプレートの形態を仮定する。
【００５４】
典型的には、厚さは、３０ｍｍから５０ｍｍの間である。
【００５５】
大きい比表面を有する物質１１がバーミキュライトパールなどの無機物質から作られるとき、大きい比表面を有する物質は、１ｍｍから５ｍｍの直径を有する顆粒の形態を仮定する。
【００５６】
典型的には、再供給装置１７は、液体で満たされた槽２９と、循環管の蒸発セクション１３から大きい比表面を有する物質１１を除去し、これを槽２９に沈め、循環管９の蒸発セクション１３内のその場所へ戻すように構成された機構３１と、を備える。
【００５７】
槽２９は、塔の内部に置かれるのが有利である。典型的には、槽２９は、大きい比表面を有する物質１１を槽の中に挿入させるのを可能にさせるように上向きに開いている。
【００５８】
有利には、循環管９の蒸発セクション１３は、槽２９と塔の壁との間で区切られている。
【００５９】
そのような配置は、いくつかの利点を有する。
【００６０】
蒸発セクションから槽２９の中への大きい比表面を有する物質１１の移動は、より容易になされる。
【００６１】
さらに、蒸発セクション１３は、蒸発セクションを通じておよび大きい比表面を有する物質１１を通じてのガスの通過速度が塔の他の部分における速度よりも高いように循環管９内に狭窄を構成する。これは、液体の蒸発にとって好ましい。
【００６２】
したがって、蒸発セクション１３は、塔の水平セクションの７５％よりも小さい、好ましくは、塔の水平セクションの５０％にほぼ等しい、より小さい水平セクションを有する。そして、槽２９も、塔の水平セクションの５０％にほぼ等しいセクションを有する。大きい比表面を有する物質と槽とのそれぞれのセクション間の一致は、槽内で大きい比表面を有する物質のより容易な浸漬を可能にする。
【００６３】
典型的には、槽２９の水平セクションは、大きい比表面を有する物質１１の水平セクションよりもわずかに大きい。
【００６４】
典型的には、塔は、水平平面内に考えられる長方形セクションを有する。例えば、塔は、塔の長さの２倍に等しい幅を有する。槽２９および蒸発セクション１３は、塔の幅に沿って並べられている。
【００６５】
機構３１は、任意の適切なタイプである。例えば、機構３１は、ガイドレール３３と、レール３３に沿って移動するように構成された少なくとも１つのキャリッジ３５と、を備える。大きい比表面を有する物質１１は、リフト部材３７を介してキャリッジ３５から吊るされる。キャリッジ３５は、蒸発セクション１３の上方に位置する第１の位置（図１）と槽２９の上方に位置する第２の位置（図２および図３）との間でレール３３に沿って移動するように構成されている。
【００６６】
リフト部材３７は、例えば、ウインチである。これらのリフト部材は、キャリッジ３５が第１の位置を占めるときに、大きい比表面を有する物質１１が蒸発セクション１３内で吊るされる低い位置（図１）と、大きい比表面を有する物質１１が蒸発セクション１３から取り除かれる高い位置と、の間で大きい比表面を有する物質１１を移動させるように構成されている。
【００６７】
大きい比表面を有する物質１１が高い位置にあるときに、大きい比表面を有する物質１１は、図２に示されるように、槽２９の上方でキャリッジ３５によって移動することができる。キャリッジ３５が第２の位置を占めるとき、リフト部材３７は、図３に示されるように、大きい比表面を有する物質１１を槽２９の中に導入するように、大きい比表面を有する物質１１を下げることができるように構成される。
【００６８】
機構３１は、まさに説明されたものと反対の動作順序に従って大きい比表面を有する物質１１を蒸発セクション１３の中に戻すように配置される。
【００６９】
好ましくは、再供給装置１７は、液体で満たされたバット３９と、ポンプなどの移送部材４１と、を備える。移送部材４１の吸引機構は、リザーバ３９に流体接続されている。移送部材４１の排出機構は、槽２９の上方で出てくる。さらに、槽２９は、リザーバ３９に流体接続されているオーバーフロー機構４３を有する。リザーバ３９内で移送部材４１によって吸引された液体は、槽２９の中に排出される。液体は、重力によってオーバーフロー機構４３を通じてリザーバ３９の中に流れる。
【００７０】
有利には、大きい比表面を有する物質から作られる下側プレート４５が、大きい比表面を有する物質１１の下方で塔内に配置されている。例えば、下側プレート４５は、大きい比表面を有する物質１１と同じ物質から作られる。
【００７１】
下側プレート４５は、垂直方向においてガス入口２１と蒸発セクション１３との間に挿入される。典型的には、下側プレート４５は、循環管９のセクション全体を占める。
【００７２】
下側プレート４５は、大きい比表面を有する物質１１から落下する液体の任意の滴を集めることを可能にさせる。ガスは、下側プレート４５によって集められた液体も蒸発させられるように、大きい比表面を有する物質１１に到達する前に下側プレートを横切るようにさせられる。
【００７３】
有利には、蒸発装置５は、大きい比表面を有する物質１１の上方に配置された上側プレート４７を備える。典型的には、上側プレート４７は、大きい比表面を有する物質１１と同じ物質から作られる。上側プレート４７は、垂直方向において大きい比表面を有する物質１１と出口２３の間に挿入されている。
【００７４】
好ましくは、上側プレート４７は、循環管９のセクション全体を占める。したがって、大きい比表面を有する物質１１を通じて循環するガス流によって動かされる小滴は、ガスが上側プレート４７を通過するときに集められ、停止させられる。
【００７５】
有利には、処理ユニット５は、再供給装置３１を制御するコンピュータ４９を備える。有利には、コンピュータ４９は、ガス循環装置１５、および移送部材４１も制御する。
【００７６】
詳細には、コンピュータ４９は、
−  循環管９の蒸発セクション１３から大きい比表面を有する物質１１を取り除くステップと、
−  槽２９中に大きい比表面を有する物質１１を沈めるステップと、
−  通路管９の蒸発セクション１３内に大きい比表面を有する物質１１を配置するステップと、
を定期的に実行するようにプログラムされている。
【００７７】
コンピュータ４９は、蒸発セクション１３から大きい比表面を有する物質を取り除くステップが、リフト部材３７を用いて大きい比表面を有する物質１１をその高い位置へ持ち上げることによって実行されるように再供給装置３１を制御するようにプログラムされている。
【００７８】
コンピュータ４９は、槽２９中に大きい比表面を有する物質１１を沈めるステップにおいて、機構３１が、
−  キャリッジ３５をレール３３に沿って第１の位置から第２の位置へ移動させるサブステップと、
−  リフト部材３７を用いて大きい比表面を有する物質１１を下方へ移動させることによって大きい比表面を有する物質１１を槽２９の中に導入するサブステップと、
を実行するようにもプログラムされている。
【００７９】
大きい比表面を有する物質１１は、物質１１が槽２９を満たす液体中に完全にまたは部分的に浸漬されるまで下方へ移動させられる。次いで、大きい比表面を有する物質は、液体を含浸させられる。
【００８０】
コンピュータ４９は、大きい比表面を有する物質をその場所へ戻すステップにおいて、機構３１が、
−  ウインチ３７を用いて大きい比表面を有する物質１１を上方へ移動させることによって大きい比表面を有する物質１１を槽２９から取り除くサブステップと、
−  再含浸させられた大きい比表面を有する物質１１を支持するキャリッジ３５を槽の上方の第２の位置から蒸発セクションの上方の第１の位置へ移動させるサブステップと、
−  大きい比表面を有する物質１１が通路セクション１３に再び配置されるまで、リフト部材３７を用いて大きい比表面を有する物質１１を下方へ移動させるサブステップと、
を実行するようにもプログラムされている。
【００８１】
第１の実施形態による処理ユニット５の代替例が、図４に示されている。
【００８２】
以下、図４の処理ユニットと図１から図３の処理ユニットとの間の差異だけを概説する。
【００８３】
同一の要素または同じ機能を実行する要素は、同じ参照符号を用いて示される。
【００８４】
図４の処理ユニット５は、蒸発装置７より上流に配置されるガス用の洗浄装置５１を備える。
【００８５】
より具体的には、洗浄装置５１は、塔の下側部分に設置される。洗浄装置５１は、ライナー５３を備える。このライナー５３は、垂直方向においてガス入口２１と大きい比表面を有する物質１１との間に挿入される。
【００８６】
洗浄装置５１は、蒸発装置が下側プレート４５を備えるときに、下側プレート４５の下方に位置する。
【００８７】
洗浄装置５１は、洗浄用液体提供部５５をさらに備える。例えば、洗浄用液体は、水、または添加剤を供給された水である。
【００８８】
提供部５５は、洗浄用液体をライナー５３上にスプレーするように構成された１つまたはいくつかの部材５７を備える。例えば、部材５７は、複数のスプレーノズルを支える傾斜部(ramp)である。各部材５７は、ライナー５３の上方に位置する。
【００８９】
洗浄装置５１は、ライナー５３の下方で塔の底部に位置する収集槽５９をさらに備える。１つ以上の入口２１は、槽５９とライナー５３の間に出てくる。入口２１を通過するガスは、ライナー５３を通じて上方に循環し、一方、洗浄用液体５７は、ライナー５３を通じて重力で下方に流れる。
【００９０】
したがって、ガスは、ライナー５３を通過している間に、洗浄用液体と接触した状態に置かれる。
【００９１】
このステップは、ガス内に含まれるある種の不純物、例えばダストを集めることを可能にさせる。
【００９２】
不純物を供給された洗浄用液体は、槽５９内に集められ、例えば、オーバーフロー機構６１を通じて排出される。洗浄用液体は、再利用または排出される。
【００９３】
次に、図５を参照して、本発明の第２の実施形態を説明する。
【００９４】
以下、第２の実施形態と第１の実施形態の間の差異だけを概説する。
【００９５】
両実施形態において同一であるまたは同じ機能を実行する要素は、同じ参照符号を用いて示される。
【００９６】
図５の実施形態において、再供給装置１７は、大きい比表面を有する物質１１より上流で小滴の形態の液体をガスに注入する噴霧装置６３を備える。
【００９７】
噴霧装置６３は、任意の適切なタイプである。噴霧装置６３は、例えば、圧力式噴霧器によって、または回転円盤上でスプレーすることによって、または超振動によって得られる微細な小滴のミストを生成する。好ましくは、噴霧装置は、５０℃未満の温度、すなわち、周囲温度で動作する。
【００９８】
液体は、例えば、入口２１で出てくる管６５の中に注入される。この場合には、大きい比表面を有する物質１１は、塔の内側セクション全体を占める。
【００９９】
噴霧器６３を通じてガスの中に注入された液体小滴の部分は、大きい比表面を有する物質１１に到達する前に蒸発させられる。小滴の残りは、大きい比表面を有する物質１１によって吸収され、これによってこの大きい比表面を有する物質１１に液体を連続的に再含浸させることが可能になる。大きい比表面を有する物質１１を移動するガス流は、液体蒸気を供給されることになる。
【０１００】
次に、図６を参照して、本発明の第３の実施形態を説明する。以下、この第３の実施形態と第１の実施形態の間の差異だけを説明する。同一の要素または同じ機能を実行する要素は、両実施形態において同じ参照符号を用いて示される。
【０１０１】
ここで、蒸発装置５は、ホースであり、このホースは、ガス循環管９を内部で画定する。ホースは、任意の適切なタイプである。典型的には、それは、５００ｍｍ２から１００，０００ｍｍ２の間のセクションを有する。
【０１０２】
大きい比表面を有する物質１１は、循環管９のセグメントを完全にふさぎ、このセグメントは、蒸発セクション１３を定めている。
【０１０３】
循環装置１５は、ファンまたは送風機６７などの循環部材を備える。例えば、循環部材６７は、蒸発セクション１３より上流でホースに挿入される。循環部材６７は、ガスを蒸発セクション１３に向けて排出する。
【０１０４】
代替として、循環部材は、蒸発セクション１３より下流に配置される。
【０１０５】
再供給装置１７は、循環管内に蒸発セクション１３を可逆的に取り付けるように構成された部材６９を備えることが有利である。
【０１０６】
言い換えれば、蒸発セクション１３は、循環管９の残りから分離され得る。
【０１０７】
例えば、部材６９は、フランジまたは任意の他の適切な部材である。
【０１０８】
蒸発セクション１３は、例えば、使用された大きい比表面を有する物質１１がホースセグメントから出され得るように構成されている。次に、ホースセグメントは、液体を含む、新しい大きい比表面を有する物質で満たされる。次に、蒸発セクション１３は、ホースの中に戻される。
【０１０９】
代替として、蒸発セクション１３を構成するセグメントは、使い捨てである。そして、このセグメントは、液体を吸った新しい大きい比表面を有する物質を収容する新しいセグメントによって置き換えられる。新しい蒸発セクション１３は、古いものの代わりに、ホースに戻すように取り付けられる。
【０１１０】
本実施形態は、実質的に連続して機能する強制換気部７１を備えた施設３の場合に特によく適している。この場合には、施設３は、例えば、外側と連通する空気入口７３と、同様に外側と連通する空気出口７５と、を有する穀物サイロである。強制換気部７１は、空気入口７３から穀物７７を通じて空気出口７５への空気の循環を確実にするように設けられている。典型的には、空気分配コレクタ７９が、穀物７７の下方でサイロ内に配置される。強制換気部７１はファンなどの空気循環部材８１を備え、空気循環部材８１の吸引部は空気入口７３に接続され、排出部はコレクタ７９に接続される。
【０１１１】
典型的には、空気出口７５は、サイロの上部に位置する。通常運転中、循環部材８１は、外側の空気を吸引し、この空気を空気コレクタ７９内に排出し、この空気は、コレクタ７９から穀物を通って空気出口７５へ循環する。
【０１１２】
蒸発ユニット５が、サイロの外側に配置される。蒸発ユニット５は、外側の空気を吸引し、製品蒸気を供給された空気を空気入口７３に近い区域の中に排出するように構成されている。例えば、注入は、コレクタ７９内で穀物７７を受け入れるチャンバの底において行われる。この注入は、低い空気流量で行われる。注入された空気は、好ましくは飽和に近い各殺生物剤および／または植物防疫製品の蒸気濃度を有する。
【０１１３】
例えば、蒸発セクション１３を定めるセグメントは、直径３００ｍｍおよび長さ１メートルを有する。
【０１１４】
次に、図７を参照して、本発明の第５の実施形態を説明する。
【０１１５】
以下、第５の実施形態と第４の実施形態の間の差異だけを概説する。
【０１１６】
両実施形態において同一であるまたは同じ機能を実行する要素は、同じ参照符号を用いて示される。
【０１１７】
本実施形態では、蒸発セクションを構成するホースセグメントは、分解することはできない。ホースセグメントは、使用された大きい比表面を有する物質を、液体を含浸された新しい大きい比表面を有する物質で置き換えるように設けられない。逆に、再供給装置１７は、大きい比表面を有する物質に液体を定期的に再含浸させるように構成されている。
【０１１８】
このために、再供給装置１７は、液体を収容する貯蔵部８３と、液体分配器８５と、貯蔵部８３内の液体を吸引するとともに液体を液体分配器８５の中に排出する液体循環部材８７と、を備える。
【０１１９】
液体分配器は、液体を大きい比表面を有する物質１１上または中にスプレーするように構成される。
【０１２０】
例えば、図７に示されるように、液体分配器８５は、大きい比表面を有する物質１１に埋め込まれた穴あきホースである。穴あきホースは、蒸発セクションの長さに沿って延びる。例えば、穴あきホースは、このセグメントの軸に沿って配置される。
【０１２１】
代替として、液体分配器８５は、いくつかの孔を備え、これら孔は、蒸発セグメントを定めるホースのセグメントの壁内にあけられ、コレクタによって液体が提供される。
【０１２２】
コンピュータ４９は、ガス循環部材６９と液体循環部材８７との両方を制御する。コンピュータ４９は、所定の頻度で液体注入を実行するようにプログラムされている。注入ごとに注入される液体の量も、コンピュータによって決定される。注入の頻度は一定であり、または代替として、空気流量などのパラメータに基づいてコンピュータによって決定される。
【０１２３】
そのような再供給装置は、蒸発装置が塔であるとき（例えば、図９参照）に使用することもできることに留意されたい。そして、液体分配器は、例えば、大きい比表面を有する物質の上方に配置された傾斜部である。
【０１２４】
次に、第１の実施形態の代替例を、図８を参照して説明する。以下、処理ユニットが図１のものとは異なっている点だけを概説する。同一の要素または同じ機能を実行する要素は、同じ参照符号を用いて示される。
【０１２５】
この代替例では、大きい比表面を有する物質１１が、上下に位置するとともに空間９１によって互いから隔てられた少なくとも２つの層８９に配置される。
【０１２６】
各層８９は、所定の限界、例えば１００ｍｍ未満の厚さを有する。
【０１２７】
したがって、層８９は、空の空間９１によって互いから完全に隔てられる。例えば、各層は、厚さ５０ｍｍ未満、好ましくは２０ｍｍ未満、さらにより好ましくは１５ｍｍ未満である。典型的には、層８９は、互いに平行である。
【０１２８】
大きい比表面を有する物質１１は、互いの上に重ねられるとともに空間によって互いから隔てられた２つの層、３つの層、または４つ以上の層に配置されてもよい。
【０１２９】
大きい比表面を有する物質が連続気泡ポリウレタン発泡体であるとき、約１３ｍｍの高さが、各層について選ばれる。
【０１３０】
この代替実施形態は、大きい比表面を有する物質の優れた含浸を可能にするという利点をもたらす。実際は、液体による大きい比表面を有する物質の含浸モードに関わらず、液体は、重力／毛細管のバランスによって決定される１０ｍｍ〜１５ｍｍの高さにわたって大きい比表面を有する物質の層の底に蓄積することが観察されている。
【０１３１】
例えば、大きい比表面を有する物質１１が連続気泡ポリウレタン発泡体である場合に、図１を参照して説明されるようにポリウレタン発泡体プレートの２５ｍｍ厚さが含浸される場合、液体は、ポリウレタン発泡体プレートの底に１３ｍｍの厚さの値で縁部に集められる。
【０１３２】
したがって、大きい比表面を有する物質の層全体または層のほぼ全体の含浸を可能にするように選ばれる厚さで、大きい比表面を有する物質をいくつかの層に配置することが特に有利である。
【０１３３】
このようにして、大きい比表面を有する物質により大量の液体を再供給することが可能である。
【０１３４】
図８に示された例では、再供給装置１２は、蒸発セクション１３から大きい比表面を有する物質の層８９の全部を引き出し、それら全部を槽２９に沈めるように設けられている。
【０１３５】
代替として、上層だけが蒸発セクション１３から取り除かれ、機構３１によって槽２９に沈められる。
【０１３６】
次に、図９を参照して図５の実施形態の一代替例を概説する。以下、この代替例が図５の実施形態とは異なる点だけを概説する。
【０１３７】
同一の要素または同じ機能を実行する要素は、同じ参照符号を用いて示される。
【０１３８】
この代替例では、噴霧装置６３は、図７を参照して説明される、液体貯蔵部８３、液体分配器８５、および循環部材８７を備える装置と置き換えられる。液体分配器８５は、大きい比表面を有する物質１１の上方に配置されたスプレーバーである。
【０１３９】
さらに、大きい比表面を有する物質１１は、いくつかの層８９、ここでは３つの層に配置され、図８を参照して説明されるように、互いに下方に配置されるとともに空間９１によって互いから隔てられる。
【０１４０】
大きい比表面を有する物質の再含浸は、分配器８５を用いて最も高くに位置する層８９上に液体をスプレーすることによって行われる。
【０１４１】
最も高くに位置する層８９が、液体を完全に含浸されると、分配器８５によってスプレーされた液体は、もはや上層８９によって吸収され得ない。そして、液体は、その真下に位置する層８９の上に上層８９から滴る。第２の層が完全に含浸されると、層は、下方に位置する層の上に滴る、などである。したがって、大きい比表面を有する物質１１を形成する全ての層に再含浸させることが可能である。
【０１４２】
上述した様々な実施形態および代替例が組み合わされてもよいことに留意されたい。したがって、ガスは、図１から図３の実施形態においてのみならず、他の実施形態または代替例の全てにおいても洗浄ステップを受けてもよい。
【０１４３】
大きい比表面を有する物質１１は、図６、図７、および図９の実施形態または代替例においても噴霧装置によって再供給されてもよい。噴霧装置による再含浸は、図１から図４および図６から図９について説明された再含浸装置に加えて行われてもよい。
【０１４４】
同様に、使用された大きい比表面を有する物質が、液体を含浸された新しい大きい比表面を有する物質によって置き換えられ、図１から図４に関して説明されるように再含浸されない塔タイプの蒸発装置を提供することも可能である。
【０１４５】
図９の代替実施形態では、層８９に対して単一の液体分配器を設けることが可能である。いくつかの層８９の上方、または各層８９の上方に位置するいくつかの分配器を設けることも可能である。
【０１４６】
第２の態様によれば、本発明は、
−  循環管９を通じてガスを循環させるステップであって、大きい比表面を有する物質１１は循環管９の蒸発セクション１３をふさぎ、液体は大きい比表面を有する物質１１に含浸させ、液体は、揮発性殺生物剤および／または植物防疫製品のうちの少なくとも１つの製品または混合物を含有し、沸点温度は大気圧で１３０℃から２８０℃の間であり、大きい比表面を有する物質は２０℃で大きい比表面を有する物質の５０Ｌ／ｍ３よりも大きい液体保持能力を有する、ガスを循環させるステップと、
−  大きい比表面を有する物質１１が液体中で使用されるとき、大きい比表面を有する物質１１に液体を再含浸させる、または使用された大きい比表面を有する物質１１を、液体を含浸された新しい大きい比表面を有する物質１１と置き換えることによって再供給するステップと、
を含む処理方法に関する。
【０１４７】
処理方法は、上述した処理アセンブリ５において実行されるように提供される。
【０１４８】
大きい比表面を有する物質１１は、上述のタイプのものである。
【０１４９】
一代替実施形態によれば、大きい比表面を有する物質１１の再含浸は、大きい比表面を有する物質１１を、液体を収容する槽２９の中に沈めることによって行われる。
【０１５０】
この再含浸は、図１から図３および図８に関して上述したように行われる。
【０１５１】
有利には、この場合には、循環管９は垂直軸を有する塔内に配置され、槽２９は塔内に配置され、蒸発セクション１３は槽２９と塔の壁との間で区切られている。
【０１５２】
そのような配置は、上述されている。
【０１５３】
代替として、大きい比表面を有する物質１１の再含浸は、好ましくは５０℃未満の温度で、液体を小滴の形態で大きい比表面を有する物質１１から上流のガスに注入することによって行われる。
【０１５４】
典型的には、図５を参照して説明されるように、液体を小滴の形態で注入することは、噴霧装置を用いて行われる。
【０１５５】
別の代替例によれば、大きい比表面を有する物質１１の再含浸は、液体を液体貯蔵部８３から大きい比表面を有する物質１１上または中にスプレーすることによって行われる。
【０１５６】
例えば、液体は、図７を参照して説明されるように、大きい比表面を有する物質に埋め込まれた穴のあいた管を通じて大きい比表面を有する物質にスプレーされる。代替として、液体は、例えば、大きい比表面を有する物質１１の上方に配置されたスプレーバーの形態を仮定する分配器によって大きい比表面を有する物質１１にスプレーされる。
【０１５７】
別の代替例によれば、再供給するステップは、使用された大きい比表面を有する物質１１を収容する循環管９の蒸発セクション１３を分解することによって行われる。次いで、使用された大きい比表面を有する物質１１は、液体を含浸された新しい大きい比表面を有する物質によって置き換えられ、蒸発セグメント１３は、循環管９に再び取り付けられる。
【０１５８】
これは、図５および図６に示されるように、循環管９がホースである場合に特に適している。
【０１５９】
さらに別の代替例によれば、再供給するステップは、使用された大きい比表面を有する物質１１を収容する循環管９の蒸発セクション１３を分解し、液体を含浸された新しい大きい比表面を有する物質を収容する新しい蒸発セクション１３を再び取り付けることによって行われる。
【０１６０】
やはり、これは、図６を参照して説明されるように、循環管がホースである場合に特に適している。
【０１６１】
有利には、循環管９から出る蒸発した液体を供給されたガスが、施設３の中に注入される。
【０１６２】
上述したように、ガスは、施設の殺菌目的のために注入されてもよい。代替として、ガスは、植物防疫処理を適用するために注入される。この場合には、典型的には、施設は、植物防疫処理が意図される植物製品を収容する。
【０１６３】
いずれにしても、施設は、上述のタイプのものである。
【符号の説明】
【０１６４】
１  植物製品を貯蔵または育成するユニット
３  施設
５  処理ユニット、ユニット、蒸発装置、処理アセンブリ
７  蒸発装置
９  ガス循環管、循環管、通路管
１１  大きい比表面を有する物質
１３  蒸発セクション、セクション、蒸発セグメント
１５  循環装置、装置、ガス循環装置
１７  再供給装置
１９  植物生産物
２１  入口、ガス入口
２３  出口
２５  移送管、プレート
２７  循環部材
２９  槽
３１  機構、再供給装置
３３  ガイドレール、レール
３５  キャリッジ
３７  リフト部材、ウインチ
３９  バット、リザーバ
４１  移送部材
４３  オーバーフロー機構
４５  下側プレート
４７  上側プレート
４９  コンピュータ
５１  洗浄装置、ガス
５３  ライナー
５５  洗浄用液体提供部、提供部
５７  部材、洗浄用液体
５９  収集槽、槽
６１  オーバーフロー機構
６３  噴霧装置、噴霧装置、噴霧器
６５  管
６７  ファンまたは送風機、循環部材
６９  ガス循環部材、部材
７１  強制換気部
７３  空気入口
７５  空気出口
７７  穀物
７９  通気配分コレクタ、コレクタ
８１  空気循環部材
８３  貯蔵部
８５  液体分配器、分配器
８７  液体循環部材、循環部材
８９  層
９１  空間
【図１】
2020525029.tif 000003
【図２】
2020525029.tif 000004
【図３】
2020525029.tif 000005
【図４】
2020525029.tif 000006
【図５】
2020525029.tif 000007
【図６】
2020525029.tif 000008
【図７】
2020525029.tif 000009
【図８】
2020525029.tif 000010
【図９】
2020525029.tif 000011
【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
−  ガス循環管（９）および前記ガス循環管（９）の蒸発セクション（１３）をふさぐ大きい比表面を有する物質（１１）を備える蒸発装置（７）と、
−  前記ガス循環管（９）を通じてガスを循環させる装置（１５）と、
−  前記大きい比表面を有する物質（１１）に含浸させる液体であって、前記液体は、揮発性殺生物剤および／または植物防疫製品のうちの少なくとも１つの製品または混合物を含有し、沸点温度は大気圧で１３０℃から２８０℃の間であり、前記大きい比表面を有する物質は２０℃で大きい比表面を有する物質の５０Ｌ／ｍ３よりも大きい液体保持能力を有する、液体と、
−  前記大きい比表面を有する物質（１１）に液体を再含浸させるように、または使用された前記大きい比表面を有する物質（１１）を、液体を含浸された新しい大きい比表面を有する物質（１１）で置き換えるように構成された再供給装置（１７）と、
を備える処理ユニット（５）。
【請求項２】
前記製品のうちの少なくとも１つは、エッセンシャルオイル；テルペン；飽和または不飽和Ｃ６乃至Ｃ１０短鎖アルコール；揮発性合成生成物；高沸点を有する液体有機酸；殺生物剤活性を有するエステルの植物防疫または殺生物剤製品のリストから選ばれる、請求項１に記載のユニット。
【請求項３】
前記蒸発装置（７）は、垂直軸塔であり、前記蒸発セクション（１３）は、垂直軸を有する、請求項１または２に記載のユニット。
【請求項４】
前記蒸発装置（７）は、前記ガス循環管（９）を定めるホースである、請求項１または２に記載のユニット。
【請求項５】
前記大きい比表面を有する物質（１１）は、連続気泡発泡体である、あるいはバーミキュライトまたはパーライトなどの分割された無機物質である、請求項１から４のいずれか一項に記載のユニット。
【請求項６】
前記大きい比表面を有する物質（１１）は、上下に配置されるとともに空間（９１）によって互いから隔てられた少なくとも２つの層（８９）に配置され、各層（８９）は、所定の限界よりも小さい厚さを有する、請求項１から５のいずれか一項に記載のユニット。
【請求項７】
前記再供給装置（１７）は、液体で満たされた槽（２９）と、前記ガス循環管（９）の前記蒸発セクション（１３）から前記大きい比表面を有する物質（１１）を除去し、前記大きい比表面を有する物質（１１）を前記槽（２９）に沈め、前記大きい比表面を有する物質（１１）を前記ガス循環管（９）の前記蒸発セクション（１３）内のその場所へ戻すように構成された機構（３１）と、を備える、請求項１から６のいずれか一項に記載のユニット。
【請求項８】
前記槽（２９）は、前記垂直軸塔内に配置され、前記蒸発セクション（１３）は、前記槽（２９）と前記垂直軸塔の壁との間で区切られている、請求項３と組み合わされた請求項７に記載のユニット。
【請求項９】
前記再供給装置（１７）は、前記液体を小滴の形態で前記大きい比表面を有する物質（１１）から上流の前記ガスに注入する噴霧装置（６３）を備える、請求項１から８のいずれか一項に記載のユニット。
【請求項１０】
前記再供給装置（１７）は、液体を収容する貯蔵部（８３）と、液体分配器（８５）と、前記貯蔵部（８３）内の前記液体を吸引するとともに前記液体を前記液体分配器（８５）の中に排出する液体循環部材（８７）と、を備え、前記液体分配器（８５）は、前記液体を前記大きい比表面を有する物質（１１）上または中にスプレーするように構成される、請求項１から６のいずれか一項に記載のユニット。
【請求項１１】
前記再供給装置（１７）は、前記蒸発セクション（１３）を前記ガス循環管（９）内で可逆的に取り付けるように構成された部材（６９）を備える、請求項１から６のいずれか一項に記載のユニット。
【請求項１２】
−  循環管（９）を通じてガスを循環させるステップであって、大きい比表面を有する物質（１１）は前記循環管（９）の蒸発セクション（１３）をふさぎ、液体は前記大きい比表面を有する物質（１１）に含浸させ、前記液体は、揮発性殺生物剤および／または植物防疫製品のうちの少なくとも１つの製品または混合物を含有し、沸点温度は大気圧で１３０℃から２８０℃の間であり、前記大きい比表面を有する物質は２０℃で大きい比表面を有する物質の５０Ｌ／ｍ３よりも大きい液体保持能力を有する、ガスを循環させるステップと、
−  前記大きい比表面を有する物質（１１）が液体中で使用されるとき、前記大きい比表面を有する物質（１１）に液体を再含浸させる、または使用された前記大きい比表面を有する物質（１１）を、液体を含浸された新しい大きい比表面を有する物質（１１）と置き換えることによって再供給するステップと、
を含む処理方法。
【請求項１３】
前記大きい比表面を有する物質（１１）は、連続気泡発泡体である、あるいは分割された無機物質である、請求項１２に記載の方法。
【請求項１４】
前記大きい比表面を有する物質（１１）の前記再含浸は、前記大きい比表面を有する物質（１１）を、液体を収容する槽（２９）の中に沈めることによって行われる、請求項１２または１３に記載の方法。
【請求項１５】
前記通路管（９）は、垂直軸を有する塔内に配置され、前記槽（２９）は、前記塔内に配置され、前記通路管（９）の前記蒸発セクションは、前記槽（２９）と前記塔の壁との間で区切られている、請求項１４に記載の方法。
【請求項１６】
前記大きい比表面を有する物質（１１）の前記再含浸は、前記液体を小滴の形態で前記大きい比表面を有する物質（１１）から上流の前記ガスに注入することによって行われる、請求項１２から１５のいずれか一項に記載の方法。
【請求項１７】
前記大きい比表面を有する物質（１１）の前記再含浸は、液体を液体貯蔵部（８３）から前記大きい比表面を有する物質（１１）の上または中にスプレーすることによって行われる、請求項１２または１３に記載の方法。
【請求項１８】
前記再供給するステップは、使用された大きい比表面を有する前記物質（１１）を収容する前記蒸発セクション（１３）を分解し、使用された大きい比表面を有する前記物質（１１）を、液体を含浸された新しい大きい比表面を有する物質（１１）と置き換え、液体を含浸された新しい大きい比表面を有する物質（１１）を収容する前記蒸発セクション（１３）を再び取り付けることによって行われる、請求項１２または１３に記載の方法。
【請求項１９】
前記再供給するステップは、使用された大きい比表面を有する前記物質（１１）を収容する前記蒸発セクション（１３）を分解し、液体を含浸された新しい大きい比表面を有する物質（１１）を収容する新しい蒸発セクション（１３）を再び取り付けることによって行われる、請求項１２または１３に記載の方法。
【請求項２０】
前記循環管（９）を出る、蒸発した液体を供給された前記ガスは、植物生産物（１９、７７）を収容する施設（３）の中に注入される、請求項１２から１９のいずれか一項に記載の方法。
【請求項２１】
植物生産物を貯蔵または育成するユニット（１）であって、
−  植物生産物（１９、７７）を収容する施設（３）と、
−  請求項１から１１のいずれか一項に記載の処理ユニット（５）と、
を備え、前記ガス循環管（９）は、前記施設（３）の内容積に流体接続されている、ユニット（１）。
【国際調査報告】
2020525029.tif 000012
2020525029.tif 000013
2020525029.tif 000014
2020525029.tif 000015
2020525029.tif 000016
2020525029.tif 000017